(57)【特許請求の範囲】
【請求項１】
面一になった垂直面が形成されるように、複数の発泡樹脂ブロックが上下方向に積み重ねられた際に、その垂直面を覆うように構築される壁面構造物であって、発泡樹脂ブロックにて形成される垂直面を覆う壁面パネルを有しており、この壁面パネルが、垂直面を形成する発泡樹脂ブロック上に設けられたコンクリート部分にて支持されたアンカーボルトによって吊り下げられた状態で支持され、アンカーボルトは壁面パネルの上側縁部に設けられた上下方向に沿って延びる長孔内を挿通していることを特徴とする壁面構造物。
【請求項２】
前記壁面パネルの下側縁部が、コンクリート基礎上に固定された下部支持部材によって支持されている請求項１に記載の壁面構造物。
【発明の詳細な説明】
【０００１】
【発明の属する技術分野】
本発明は、発泡ポリスチレン等の軽量の発泡樹脂ブロックが上下方向に積み重ねられて、面一な垂直面が形成された際に、その垂直面を覆うように構築され壁面構造物に関する。
【０００２】
【従来の技術】
近時、各種土木工事にて構造物等を構築する際に、発泡ポリスチレン等の軽量の発泡樹脂ブロックが使用されるようになっている。この発泡樹脂ブロックは、通常、直方体状に成形されており、例えば、切土された部分に、盛土の替わりに積み重ねられて、各種土木構造物が構築される。そして、発泡樹脂ブロックによって構成された土木構造物における露出した外側の垂直面を覆うように、壁面構造物が構築される。
【０００３】
このような壁面構造物を構築する場合には、例えば、まず、地盤上に基礎コンクリートを設けて、基礎コンクリート上に複数の支柱が水平方向に適当な間隔をあけて垂直に配置される。各支柱は、倒れないようにアンカー部材等によって固定される。その後、隣接する支柱間に、各支柱にて左右の各側部が上下方向にスライド可能に支持された複数の壁面パネルが上下方向に積み重ねられて、垂直な壁面を有する壁面構造物が構築される。このようにして壁面構造物が構築されると、その壁面構造物と山の斜面との間における切土された部分に、発泡樹脂ブロックが積み重ねられる。
【０００４】
このように、壁面を構築した後に、発泡樹脂ブロックを積み重ねる工法では、壁面を構築する際には、各支柱を垂直に固定するための重機等が必要になり、支柱の固定、壁面パネル積み重ね等の作業が煩わしいという問題がある。
【０００５】
このような問題を解決するために、例えば、実用新案登録公報第２５０５９９７号には、発泡樹脂ブロックの一端部に枠体を嵌合して、枠体の複数箇所を複数のビスによって発泡樹脂ブロックに固定し、固定された枠体に、壁面パネルをビス等によって取り付ける構成が開示されている。このように、発泡樹脂ブロックに枠体を取り付けて、その枠体に壁面パネルを取り付ける構成では、支柱の固定等が不要になり、作業性が向上することになる。
【０００６】
【発明が解決しようとする課題】
しかしながら、この場合には、枠体を発泡樹脂ブロックに固定するために、枠体の複数箇所を複数のビス等によって固定し、さらに、固定された枠体に、壁面を構成するパネルをビス等によって固定しなければならず、その作業が煩わしいという問題がある。
【０００７】
本発明は、このような問題を解決するものであり、その目的は、作業効率よく構築することができる壁面構造物を提供することにある。
【０００８】
【課題を解決するための手段】
本発明の壁面構造物は、面一になった垂直面が形成されるように、複数の発泡樹脂ブロックが上下方向に積み重ねられた際に、その垂直面を覆うように構築される壁面構造物であって、発泡樹脂ブロックにて形成される垂直面を覆う壁面パネルを有しており、この壁面パネルが、垂直面を形成する発泡樹脂ブロック上に設けられたコンクリート部分にて支持されたアンカーボルトによって吊り下げられた状態で支持され、アンカーボルトは壁面パネルの上側縁部に設けられた上下方向に沿って延びる長孔内を挿通していることを特徴とする。
【０００９】
前記壁面パネルの下側縁部が、コンクリート基礎上に固定された下部支持部材によって支持されている。
【００１０】
【発明の実施の形態】
以下、本発明の実施の形態を、図面に基づいて詳細に説明する。
【００１１】
図１は、本発明の壁面構造物の実施の形態の一例を示す横断面図である。この壁面構造物は、例えば、山の斜面における切土された部分に道路を構築するために、盛土に替えて発泡樹脂ブロック２０が積み重ねられた際に、その発泡樹脂ブロックによって形成される垂直面を覆うように設けられている。
【００１２】
切土部分に積み重ねられる各発泡樹脂ブロック２０は、例えば、ポリスチレン、ポリエチレン、ポリプロピレン等を型内ビーズ発泡成形、または押出発泡成形することによって直方体状に形成されており、従って、各発泡樹脂ブロック２０は、上面および下面がそれぞれ水平に構成されるとともに、４つの各側面がそれぞれ垂直に構成されている。切土部分に積み重ねられた発泡樹脂ブロック２０は、面一になった水平な上面を形成しており、その上面に、コンクリート床版３１が設けられている。コンクリート床版３１上における山の斜面の遠方側の側部上には、地覆コンクリート部３３がコンクリート床版３１と一体的に設けられており、コンクリート床版３１上には、地覆コンクリート部３３が設けられた側部を除いてアスファルト３２が設けられている。アスファルト３２の上面は、地覆コンクリート部３３の上面と面一になっている。
【００１３】
山の斜面における切土された平坦部分における山の斜面の遠方側（外側）の側部には、基礎コンクリート３４が設けられており、この基礎コンクリート３４上に、垂直面を形成する発泡樹脂ブロック２０が上下方向に積み重ねられている。基礎コンクリート３４上に積み重ねられた発泡樹脂ブロック２０によって外側に露出するように形成された垂直面は、本発明の壁面構造物１０によって覆われている。
【００１４】
壁面構造物１０は、発泡樹脂ブロック２０にて形成された垂直面を覆うように垂直状態に配置される長方形状の複数の壁面パネル１１を有している。各壁面パネル１１は、例えば、押出成型されたセメント板によってそれぞれ構成されており、それぞれの上側縁部が、発泡樹脂ブロック２０上に設けられたコンクリート床版３１の側面に対向した状態になっている。
【００１５】
コンクリート床版３１の側面に対向した各壁面パネル１１の上側縁部には、上部保護部材１２が設けられている。各上部保護部材１２は、断面コ字状をした溝型鋼によって構成されており、開口部を下方に向けた状態で配置されて、その内部に、各壁面パネル１１の上側縁部がそれぞれ嵌合されている。
【００１６】
上部保護部材１２が嵌合された各壁面パネル１１の上側縁部における左右の各側部には、上下方向に沿って延びる長孔１１ａがそれぞれ設けられている。各長孔１１ａには、壁面パネル１１の上側縁部をコンクリート床版３１に支持するためのアンカーボルト１３がそれぞれ挿通している。各長孔１１ａ内を挿通した各アンカーボルト１３は、上部保護部材１２の側面部分１２ａと壁面パネル１１との間に設けられた各スペーサー１４と、上部保護部材１２ａの側面部分とを貫通して、コンクリート床版３１内にそれぞれ挿入されて、コンクリート床版３１内に支持されている。
【００１７】
壁面パネル１１の各長孔１１ａ内に位置する各アンカーボルト１３部分には、円筒状をした補強部材１５がそれぞれ嵌合されている。各補強部材１５は、一方の端部にフランジ部１５ａがそれぞれ設けられており、このフランジ部１５ａが、壁面パネル１１における外側の表面に突き当てられている。各補強部材１５は、各長孔１１ａ内に位置する各アンカーボルト１３部分に嵌合されている。
【００１８】
各補強部材１５のフランジ部１５ａから突出した各アンカーボルト１３の端部には、一対のナット部材１６がネジ結合されており、コンクリート床版３１に支持された一対のアンカーボルト１３に、壁面パネル１１の上側縁部が取り付けられている。従って、コンクリート床版３１にて支持された一対のアンカーボルト１３にて、壁面パネル１１は、吊り下げられた状態で支持されている。一対のナット部材１６がそれぞれネジ結合された各アンカーボルト１３の端部は、上部保護部材１２の内部に位置しており、各アンカーボルト１３の端部は、それぞれ、外部から目視されない状態になっている。
【００１９】
壁面パネル１１の下側縁部は、下部支持部材１７によって支持されている。この下部支持部材１７は、断面コ字状をした溝型鋼によって構成されており、開口部を上方に向けられた状態で、基礎コンクリート３４上に配置されている。下部支持部材１７の内面は、全体にわたってクッション材１７ａにて覆われている。下部支持部材１７における基礎コンクリート３４上に載置された水平面は、クッション材１７ａの水平面および下部支持部材１７の水平面を貫通して基礎コンクリート３４内に挿入された複数のアンカーボルト１８によって、基礎コンクリート３４に固定されている。
【００２０】
基礎コンクリート３４上に固定された下部支持部材１７内には、各壁面パネル１１の下側縁部がそれぞれ嵌合されている。各壁面パネル１１の下側縁部における垂直になった各表面は、下部支持部材１７内に設けられたクッション材１７ａにそれぞれ圧接されている。下部支持部材１７内に嵌合された壁面パネル１１の下面は、下部支持部材１７の水平面とは２０〜３０ｍｍ程度の間隔が設けられている。
【００２１】
壁面パネル１１と、上下方向に積み重ねられた発泡樹脂ブロック２０にて形成された垂直面との間には、上下方向に適当な間隔をあけて複数のクッション材１９が設けられている。
【００２２】
このような構成の壁面構造物１０は、発泡樹脂ブロック２０によって構築された基礎上にコンクリート床版３１が設けられると、壁面パネル１１の下側縁部が、アンカーボルト１８によって基礎コンクリート３４上に固定された下部支持部材１７内に嵌合された状態で、このコンクリート床版３１の側面に支持された一対のアンカーボルト１３によって、壁面パネル１１の上側縁部が吊り下げられた状態で支持される。このとき、各アンカーボルト１３によって、壁面パネル１１の上側縁部に嵌合された上部保護部材１２も、壁面パネル１１と一体的に取り付けられる。また、壁面パネル１１と、発泡樹脂ブロック２０の垂直面との間には、複数のクッション材１９が、上下方向に適当な間隔をあけて配置される。
【００２３】
コンクリート床版３１に吊り下げられた状態で支持された壁面パネル１１は、上下方向に積み重ねられた発泡樹脂ブロック２０が圧縮変形すると、コンクリート床版３１は傾斜状態になるが、コンクリート床版３１に取り付けられたアンカーボルト１３も傾斜状態になるために、各アンカーボルト１３は、壁面パネル１１の上側縁部に設けられた各長孔１１ａ内をスライドするために、壁面パネル１１は傾斜状態になる。従って、発泡樹脂ブロック２０が圧縮して変形しても、壁面パネル１１が破損するおそれがない。また、壁面パネル１１の下側縁部を支持する下部支持部材１７の水平面と壁面パネル１１の下面との間に適当な間隔が設けられているために、壁面パネル１１の下側縁部は、発泡樹脂ブロック２０の圧縮変形に追従して、下部支持部材１７内を下方にスライドし得るために、これによっても、壁面パネル１１の破損が防止される。
【００２４】
なお、上記実施の形態では、各壁面パネル１１は、押出成型セメント板によって構成されていたが、石綿板、合板、キーストンプレート、スレート板、フェノール樹脂板等であってもよい。
【００２５】
【発明の効果】
本発明の壁面構造物は、このように、壁面パネルが、発泡樹脂ブロック上に設けられたコンクリート部分に吊り下げられた状態で支持されているために、作業効率よく、構築することができる。
【図面の簡単な説明】
【図１】本発明の壁面構造物の実施の形態の一例を示す縦断面図である。
【符号の説明】
１０  壁面構造物
１１  壁面パネル
１１ａ  長孔
１２  上部保護部材
１３  アンカーボルト
１４  スペーサー
１５  補強部材
１６  ナット部材
１７  下部支持部材
１７ａ  クッション材
１８  アンカーボルト
１９  クッション材
２０  発泡樹脂ブロック
３１  コンクリート床版
３２  アスファルト
３３  地覆コンクリート部
３４  基礎コンクリート
【図１】
0003709275.tif 000002